(57)【要約】【課題】遠隔制御装置が制御している電力消費機器の動作状態とエネルギー計測機器が計測した消費電力量をインターネット網を利用し遠隔地から遠隔監視装置により制御および計測できる遠隔制御システムを提供すること【解決手段】インターネット網Ｃに接続する遠隔監視装置Ｂと、データ中継装置Ｅと、遠隔制御装置Ｆと、複数台の電力消費機器Ｈと複数台のエネルギー計測機器Ｉのデータの切替を行い取り込むインターフェースユニットＧとを備えた遠隔制御システムであって、前記遠隔制御装置Ｆにより制御された複数台の電力消費機器Ｈの動作状態と計測された消費電力量をデータ中継装置Ｅの中継用データ保存手段５に記憶することにより、遠隔地にある遠隔監視装置Ｂ内の監視用表示手段１にインターネット網Ｃを経由し電力消費機器Ｈの動作状態と消費電力量を表示できることを特徴とする遠隔制御システムＡ。【選択図】図１ 
2005182356.tif 000002
【特許請求の範囲】
【請求項１】
監視用表示手段と監視用入力手段と監視用データ保存手段とからなるインターネット網に接続する遠隔監視装置と、ＩＰアドレス登録手段と中継用データ保存手段と基本プログラム保存手段とからなる分岐装置を介してインターネット網に接続するデータ中継装置と、制御用入力手段と制御用表示手段と制御用データ保存手段と制御用演算手段と電力消費機器制御手段とエネルギー演算手段とからなる分岐装置を介してインターネット網に接続する遠隔制御装置と、複数台の電力消費機器の動作状態と複数台のエネルギー計測機器から計測された電力データを取り込む前記データ中継装置に信号線を介して接続するインターフェースユニットとを備えた遠隔制御システムであって、前記遠隔制御装置により制御された複数台の電力消費機器の動作状態と計測された消費電力量を前記データ中継装置の中継用データ保存手段に記憶することにより、遠隔地にある前記遠隔監視装置からインターネット網を経由し電力消費機器の動作状態と消費電力計測値を表示できることを特徴とする遠隔制御システム。
【請求項２】
監視用表示手段と監視用入力手段と監視用データ保存手段とからなるインターネット網に接続する遠隔監視装置と、ＩＰアドレス登録手段と中継用データ保存手段と基本プログラム保存手段と変更プログラム保存手段とデータ変換手段とデータ入出力手段からなる分岐装置を介してインターネット網に接続するデータ中継装置と、制御用入力手段と制御用表示手段と制御用データ保存手段と制御用演算手段と電力消費機器制御手段とエネルギー演算手段とからなる分岐装置を介してインターネット網に接続する遠隔制御装置と、複数台の電力消費機器の動作状態と複数台のエネルギー計測機器から計測された電力データを取り込む前記データ中継装置に信号線を介して接続するインターフェースユニットと、データとプログラムを記憶できる外部記憶装置とを備えた遠隔制御システムであって、前記外部記憶装置を前記データ中継装置内のデータ入力手段に接続させることで追加プログラムがデータ変換手段を介し変更プログラム保存手段に保存されることにより、遠隔地にある前記遠隔監視装置からインターネット網を経由し電力消費機器の動作状態と消費電力計測値を監視用表示手段のＷｅｂブラウザ上に表示できることを特徴とする遠隔制御システム。
【請求項３】
前記遠隔制御装置は制御用データ転送手段を備え、制御用データ転送手段は、前記制御用データ保存手段に保存された複数台の電力消費機器の設定情報と複数台のエネルギー計測機器の設定情報をインターネット網を介し前記データ中継装置の中継用データ保存手段に転送することを特徴とする請求項１および２記載の遠隔制御システム。
【請求項４】
前記データ中継装置は中継用データ転送手段を備え、前記中継用データ保存手段は監視用入力手段で入力された複数台の電力消費機器の制御情報を保存する。前記中継用データ転送手段は前記中継用データ保存手段に保存された複数台の電力消費機器の情報に変化がある場合にインターネット網を介し前記遠隔制御装置の制御用データ保存手段に転送することを特徴とする請求項１および２記載の遠隔制御システム。
【請求項５】
前記制御用データ転送手段と前記中継用データ転送手段は、転送時に転送先のデータ形式に合致するようにデータ変換機能を持つことを特徴とする請求項１から４記載の遠隔制御システム。
【発明の詳細な説明】
【技術分野】
【０００１】
本発明は機器の遠隔制御システムに関するものである。
【背景技術】
【０００２】
従来、この種の遠隔制御システムでは、例えば図５に記載された空調管理システムがあった（例えば、特許文献１参照）。
【０００３】
図５において、各空気調和機１０４を運転制御し監視するビル中央監視盤１０１と、ビル中央監視盤１０１から出される制御指令と、各空気調和機１０４の運転状態を示す情報を中継する集中制御装置１０２とを備える空調管理システムであって、ビル中央監視盤１０１および中央制御装置１０２のそれぞれに各空気調和機１０４への制御情報を入力する入力手段１０５と、各空気調和機１０４からの運転状態情報を表示する表示手段１０６とを設け、更に集中制御装置１０２にはビル中央監視盤１０１および集中制御装置１０２何れかの入力手段１０５から入力される最新の指令を各空気調和機１０４へ送信するゲートウェイから構成されている。
【特許文献１】特開平６−２４１５４４号公報
【発明の開示】
【発明が解決しようとする課題】
【０００４】
しかしながら、上記従来の構成では、ビル中央監視盤１０１と集中制御装置１０２は同一建家内に設置されているため異なる建家からの遠隔監視制御ができないという課題を有していた。
【０００５】
本発明は、前記従来の課題を解決するもので、遠隔制御装置が制御している電力消費機器の動作状態とエネルギー計測機器が計測した消費電力量をインターネット網を利用し遠隔地から遠隔監視装置により制御および消費電力量を計測表示できる遠隔制御システムを提供することを目的とする。
【課題を解決するための手段】
【０００６】
前記従来の課題を解決するために、本発明の遠隔制御システムは、監視用表示手段と監視用入力手段と監視用データ保存手段とからなるインターネット網に接続する遠隔監視装置と、ＩＰアドレス登録手段と中継用データ保存手段と基本プログラム保存手段とからなる分岐装置を介してインターネット網に接続するデータ中継装置と、制御用入力手段と制御用表示手段と制御用データ保存手段と制御用演算手段と電力消費機器制御手段とエネルギー演算手段とからなる分岐装置を介してインターネット網に接続する遠隔制御装置と、複数台の電力消費機器の動作状態と複数台のエネルギー計測機器から計測された電力データを取り込む前記データ中継装置に信号線を介して接続するインターフェースユニットとを設けたものである。
【０００７】
これによって遠隔制御装置により制御された複数台の電力消費機器の動作状態と計測された消費電力量をデータ中継装置の中継用データ保存手段に記憶することにより、遠隔地にある前記遠隔監視装置からインターネット網を経由し電力消費機器の動作状態と消費電力計測値を表示できる。
【０００８】
また、本発明の遠隔制御システムは、監視用表示手段と監視用入力手段と監視用データ保存手段とからなるインターネット網に接続する遠隔監視装置と、ＩＰアドレス登録手段と中継用データ保存手段と基本プログラム保存手段と変更プログラム保存手段とデータ変
換手段とデータ入出力手段からなる分岐装置を介してインターネット網に接続するデータ中継装置と、制御用入力手段と制御用表示手段と制御用データ保存手段と制御用演算手段と電力消費機器制御手段とエネルギー演算手段とからなる分岐装置を介してインターネット網に接続する遠隔制御装置と、複数台の電力消費機器の動作状態と複数台のエネルギー計測機器から計測された電力データを取り込む前記データ中継装置に信号線を介して接続するインターフェースユニットと、データとプログラムを記憶できる外部記憶装置とを設けたものである。
【０００９】
これによって外部記憶装置をデータ中継装置内のデータ入力手段に接続させることで追加プログラムがデータ変換手段を介し変更プログラム保存手段に保存されることにより、遠隔地にある前記遠隔監視装置からインターネット網を経由し電力消費機器の動作状態と消費電力計測値を監視用表示手段のＷｅｂブラウザ上に表示および制御ができる。
【００１０】
また、本発明の遠隔制御システムは、遠隔制御装置に制御用データ転送手段を有し、制御用データ転送手段は、制御用データ保存手段に保存された複数台の電力消費機器の設定情報と複数台のエネルギー計測機器の設定情報をインターネット通信線を介しデータ中継装置の中継用データ保存手段に転送することができる。
【００１１】
これにより遠隔制御装置で作成された複数台の電力消費機器およびエネルギー計測機器の登録値と設定値をデータ中継装置に転送できる為、遠隔監視装置内の監視用入力手段で登録と設定の重複を防ぐことができる。
【００１２】
また、本発明の遠隔制御システムは、データ中継装置に中継用データ転送手段と中継用データ保存手段を有し、中継用データ保存手段は遠隔監視装置内の監視用入力手段で入力された複数台の電力消費機器の制御情報を保存する。中継用データ転送手段は中継用データ保存手段に保存された複数台の電力消費機器の情報に変化がある場合にインターネット通信線を介し遠隔制御装置の制御用データ保存手段に転送することができる。
【００１３】
これにより遠隔監視装置から電力消費機器の制御を行うことができる。
【００１４】
また、本発明の遠隔制御システムは、制御用データ転送手段と中継用データ転送手段において、データの転送時に転送先のデータ形式に合致するようにデータ変換を行うことができる。
【００１５】
これにより遠隔監視側において異なるＷｅｂブラウザを使用しても電力消費機器の制御および消費電力の計測表示を行うことができる。
【発明の効果】
【００１６】
本発明の遠隔制御システムは、データ中継装置を設けることにより、インターネット網を利用しＷｅｂブラウザ上で電力消費機器の制御および電力消費機器の消費電力量を確実に計測表示できる。
【発明を実施するための最良の形態】
【００１７】
第１の発明は、監視用表示手段と監視用入力手段と監視用データ保存手段とからなるインターネット網に接続する遠隔監視装置と、ＩＰアドレス登録手段と中継用データ保存手段と基本プログラム保存手段とからなる分岐装置を介してインターネット網に接続するデータ中継装置と、制御用入力手段と制御用表示手段と制御用データ保存手段と制御用演算手段と電力消費機器制御手段とエネルギー演算手段とからなる分岐装置を介してインターネット網に接続する遠隔制御装置と、複数台の電力消費機器の動作状態と複数台のエネルギー計測機器から計測された電力データを取り込むデータ中継装置に信号線を介して接続
するインターフェースユニットとを備えることにより、遠隔制御装置により制御された複数台の電力消費機器の動作状態と計測された消費電力量をデータ中継装置の中継用データ保存手段に記憶することにより、遠隔地にある遠隔監視装置からインターネット網を経由し電力消費機器の動作状態と消費電力計測値を表示できる。
【００１８】
第２の発明は、監視用表示手段と監視用入力手段と監視用データ保存手段とからなるインターネット網に接続する遠隔監視装置と、ＩＰアドレス登録手段と中継用データ保存手段と基本プログラム保存手段と変更プログラム保存手段とデータ変換手段とデータ入出力手段からなる分岐装置を介してインターネット網に接続するデータ中継装置と、制御用入力手段と制御用表示手段と制御用データ保存手段と制御用演算手段と電力消費機器制御手段とエネルギー演算手段とからなる分岐装置を介してインターネット網に接続する遠隔制御装置と、複数台の電力消費機器の動作状態と複数台のエネルギー計測機器から計測された電力データを取り込む前記データ中継装置に信号線を介して接続するインターフェースユニットと、データとプログラムを記憶できる外部記憶装置とを備えることにより、外部記憶装置をデータ中継装置内のデータ入力手段に接続させることで追加プログラムがデータ変換手段を介し変更プログラム保存手段に保存されることにより、遠隔地にある前記遠隔監視装置からインターネット網を経由し電力消費機器の動作状態と消費電力計測値を監視用表示手段のＷｅｂブラウザ上に表示および制御ができるため操作が簡単にできる。
【００１９】
第３の発明は、特に第１の発明および第２の発明の遠隔制御装置は制御用データ転送手段を備えることにより、制御用データ保存手段に保存された複数台の電力消費機器の情報と複数台のエネルギー計測機器の情報をインターネット網を介しデータ中継装置の中継用データ保存手段に転送することができ、データ作成の重複を防止できる。
【００２０】
第４の発明は、特に第１の発明および第２の発明のデータ中継装置は中継用データ転送手段を備えることにより、監視用入力手段で入力された複数台の電力消費機器の制御情報を保存し、中継用データ転送手段は前記中継用データ保存手段に保存された複数台の電力消費機器の情報に変化がある場合にインターネット網を介し遠隔制御装置の制御用データ保存手段に転送することで遠隔地から電力消費機器を容易に制御できる。
【００２１】
第５の発明は、特に第１の発明から第４の発明の制御用データ転送手段と中継用データ転送手段は、転送時に転送先のデータ形式に合致するようにデータ変換しデータ転送するため、異なるＷｅｂブラウザを使用しても電力消費機器の制御および消費電力の計測表示を行うことができる。
【００２２】
以下、本発明の実施の形態について、図面を参照しながら説明する。なお、この実施の形態によって本発明が限定されるものではない。
【００２３】
（実施の形態１）
図１は、本発明の第１の実施の形態における遠隔制御システムのブロック図を示すものである。
【００２４】
図１において、遠隔監視システムＡは、監視用表示手段１と監視用入力手段２と監視用データ保存手段３から構成される遠隔監視装置Ｂと、ＩＰアドレス登録手段４と中継用データ保存手段５と基本プログラム保存手段６から構成されるデータ中継装置Ｅと、制御用入力手段７と制御用表示手段８と制御用データ保存手段９と制御用演算手段１０と電力消費機器制御手段１１とエネルギー演算手段１２から構成される遠隔制御装置Ｆと、複数台の電力消費機器Ｈ１〜Ｈｎの動作状態と複数台のエネルギー計測機器Ｉ１〜Ｉｎから計測された電力データを取り込むデータ中継装置Ｅに信号線Ｋを介して接続するインターフェースユニットＧから構成され、遠隔監視装置Ｂとデータ中継装置Ｅと遠隔制御装置Ｆはイ
ンターネット網Ｃを介し接続されている。
【００２５】
以上のように構成された遠隔制御システムについて、以下その動作、作用を説明する。
【００２６】
まず、複数台の電力消費機器Ｈ１〜Ｈｎが接続されている建家のシステムの管理者は、キー入力もしくはマウス入力可能な制御用入力手段７と制御用表示手段８により電力消費機器Ｈ１〜Ｈｎの複数の設定情報を入力し制御用データ保存手段９に登録する（例：名称、通信用アドレス番号、機器の消費電力量など）。登録された電力消費機器Ｈ１〜Ｈｎの設定情報は、同時にインターネット通信線ｊを経由しデータ中継装置Ｅ内の中継用データ保存手段５に保存される。制御用演算手段１０は、前記制御用データ保存手段９に保存された電力消費機器Ｈ１〜Ｈｎの設定情報をもとに電力消費機器Ｈ１〜Ｈｎを制御しエネルギー計測機器Ｉ１〜Ｉｎを用い電力量を計測する。計測された電力量は前記制御用データ保存手段と前記中継用データ保存手段５に保存される。
【００２７】
次に遠隔地のシステム管理者は、キー入力もしくはマウス入力可能な監視用入力手段２と監視用表示手段１を用い遠隔地にある電力消費機器Ｈ１〜Ｈｎの複数の設定情報と動作情報と電力消費量のデータを前記中継用データ保存手段５から引き出し監視用データ保存手段３に保存する（例：名称、動作情報、計測された消費電力量など）。遠隔地から複数の建家の情報を収集する識別方法としては、前記データ中継装置Ｅの内ＩＰアドレス登録手段４に登録されたＩＰアドレスを指定することで複数の建家の情報を混同することなく正確に得ることができる。データ中継装置Ｅ内の基本プログラム保存手段６は、遠隔監視装置Ｂからの接続の許可を制御するとともに遠隔制御装置Ｆから転送されたデータのタイミングを監視する。以降この動作を繰り返す。
【００２８】
以上のように本実施の形態における遠隔制御システムは、遠隔制御装置Ｆにより制御された複数台の電力消費機器Ｈ１〜Ｈｎの動作状態と計測された消費電力量をデータ中継装置Ｅの中継用データ保存手段５に記憶するものである。したがって遠隔地にある遠隔監視装置Ｂからインターネット網Ｃを経由し電力消費機器の動作状態と消費電力計測値を表示することができる。
【００２９】
尚、電力消費機器Ｈ１〜Ｈｎはガス消費機器もしくは水道量消費機器でも良い。
【００３０】
（実施の形態２）
図２は、本発明の実施の形態２における遠隔制御装置のブロック図である。同図において、図１と同じ構成要素については同じ符号を用い説明を省略する。
【００３１】
図２において、遠隔監視システムＡは、遠隔監視装置Ｂと、ＩＰアドレス登録手段４と中継用データ保存手段５と基本プログラム保存手段６と変更プログラム保存手段２０とデータ変換手段２１とデータ入力手段２２から構成されるデータ中継装置Ｅと、遠隔制御装置Ｆと、複数台の電力消費機器Ｈ１〜Ｈｎの動作状態と複数台のエネルギー計測機器Ｉ１〜Ｉｎから計測された電力データを取り込むデータ中継装置Ｅに信号線Ｋを介して接続するインターフェースユニットＧと前記データ中継装置Ｅに接続可能な外部記憶装置Ｌから構成され、遠隔監視装置Ｂとデータ中継装置Ｅと遠隔制御装置Ｆはインターネット網Ｃを介し接続されている。
【００３２】
以上のように構成された遠隔制御システムについて、以下その動作、作用を説明する。まず本発明の実施の形態１に加え、プログラムもしくはデータを保存できる外部記憶装置Ｌがデータ中継装置Ｅに接続されるとデータ入力手段２２を経由しデータ変換手段２１がデータ中継装置Ｅに合致したデータ形式に変換し変更プログラム保存手段２０にプログラムもしくはデータを保存する。
【００３３】
次に基本プログラム保存手段６は、前記変更プログラム保存手段２０のプログラムを読み取りデータ中継装置Ｅのプログラムの変更を行う（例：遠隔地にある監視用表示手段１上にＷｅｂブラウザ形式のプログラムとして電力消費機器Ｈ１〜Ｈｎの動作状態と消費電力計測値を表示および制御ができる）。以降この動作を繰り返す。
【００３４】
以上のように本実施の形態における遠隔制御システムは、遠隔制御装置Ｆにより制御された複数台の電力消費機器Ｈ１〜Ｈｎの動作状態と計測された消費電力量をデータ中継装置Ｅの中継用データ保存手段５に記憶するものである。したがって遠隔地にある遠隔監視装置Ｂからインターネット網Ｃを経由し電力消費機器の動作状態と消費電力計測値をＷｅｂブラウザ上に表示および制御ができるため操作が用意にできる。
【００３５】
（実施の形態３）
図３は、本発明の実施の形態３における遠隔制御装置のブロック図である。同図において、図１および図２と同じ構成要素については同じ符号を用い説明を省略する。
【００３６】
図３において、遠隔制御システムＡは、遠隔監視装置Ｂと、データ中継装置Ｅと、制御用入力手段７と制御用表示手段８と制御用データ保存手段９と制御用演算手段１０と電力消費機器制御手段１１とエネルギー演算手段１２と制御用データ保存手段９に保存された複数の電力消費機器Ｈ１〜Ｈｎの設定情報をデータ中継装置Ｅに転送できる制御用データ転送手段３０から構成される遠隔制御装置Ｆと、複数台の電力消費機器Ｈ１〜Ｈｎと複数台のエネルギー計測機器Ｉ１〜Ｉｎから計測された電力データの切替を行い取り込むデータ中継装置Ｅに信号線Ｋを介して接続するインターフェースユニットＧから構成され、遠隔監視装置Ｂとデータ中継装置Ｅと遠隔制御装置Ｆはインターネット網Ｃを介し接続されている。
【００３７】
以上のように構成された遠隔制御システムについて、以下その動作、作用を説明する。制御用データ転送手段３０は、制御用データ保存手段９に保存された複数の電力消費機器Ｈ１〜Ｈｎの設定情報をデータ中継装置Ｅに転送できる（例：名称、通信用アドレス番号、機器の消費電力量など）。
【００３８】
以上のように本実施の形態における遠隔制御システムは、遠隔制御装置Ｆにて登録した電力消費機器Ｈ１〜Ｈｎおよびエネルギー計測機器Ｉ１〜Ｉｎの登録情報をデータ中継装置Ｅ内の中継用データ保存手段５に転送できる。したがって遠隔監視装置Ｂで電力消費機器表示Ｈ１〜Ｈｎおよびエネルギー計測機器Ｉ１〜Ｉｎの登録を重複して行うことを削減できる。
【００３９】
（実施の形態４）
図４は、本発明の実施の形態４における遠隔制御装置のブロック図である。同図において、図１から図３と同じ構成要素については同じ符号を用い説明を省略する。
【００４０】
図４において、遠隔監視システムＡは、遠隔監視装置Ｂと、ＩＰアドレス登録手段４と中継用データ保存手段５と基本プログラム保存手段６と変更プログラム保存手段２０とデータ変換手段２１とデータ入力手段２２と中継用データ保存手段から構成されるデータ中継装置Ｅと、遠隔制御装置Ｆと、複数台の電力消費機器Ｈ１〜Ｈｎの動作状態と複数台のエネルギー計測機器Ｉ１〜Ｉｎから計測された電力データを取り込むデータ中継装置Ｅに信号線Ｋを介して接続するインターフェースユニットＧと前記データ中継装置Ｅに接続可能な外部記憶装置Ｌから構成され、遠隔監視装置Ｂとデータ中継装置Ｅと遠隔制御装置Ｆはインターネット網Ｃを介し接続されている。
【００４１】
以上のように構成された遠隔制御システムについて、以下その動作、作用を説明する。中継用データ転送手段４０は、遠隔監視装置Ｂで入力された電力消費機器Ｈ１〜Ｈｎの動作状態と中継用データ保存手段５に保存された複数台の電力消費機器の情報に変化がある場合にインターネット網Ｃを介し遠隔制御装置Ｆの制御用データ保存手段９にデータを転送できる。
【００４２】
以上のように本実施の形態における遠隔制御システムは、遠隔地から電力消費機器を容易に制御できる。
【００４３】
（実施の形態５）
図１〜図４において、制御用データ転送手段３０と中継用データ転送手段４０は、転送時に転送先のデータ形式に合致するようにデータ変換できる。
【００４４】
以上のように本実施の形態における遠隔制御システムは、遠隔地の監視用表示手段１と制御用表示手段のプログラムソフトが異なった場合でも同じ画面表示ができ円滑に建家の管理および省エネができる。
【産業上の利用可能性】
【００４５】
以上のように、本発明の遠隔制御システムは、遠隔地からインターネット網を利用し異なる建家の電力消費機器の制御および電力消費機器の消費電力量を計測表示できるため省エネルギー管理および管理者の省人化を図ることができる。
【図面の簡単な説明】
【００４６】
【図１】本発明の実施の形態１における遠隔制御システムのブロック図
【図２】本発明の実施の形態２における遠隔制御システムのブロック図
【図３】本発明の実施の形態３における遠隔制御システムのブロック図
【図４】本発明の実施の形態４および実施の形態５における遠隔制御システムのブロック図
【図５】従来の遠隔制御システムのブロック図
【符号の説明】
【００４７】
Ａ  遠隔制御システム
Ｂ  遠隔監視装置
Ｃ  インターネット網
Ｄ  分岐装置
Ｅ  データ中継装置
Ｆ  遠隔制御装置
Ｇ  インターフェースユニット
Ｈ  電力消費機器
Ｉ  エネルギー計測機器
Ｊ  インターネット信号線
Ｋ  信号線
Ｌ  外部記憶装置
１  監視用表示手段
２  監視用入力手段
３  監視用データ保存手段
４  ＩＰアドレス登録手段
５  中継用データ保存手段
６  基本プログラム保存手段
７  制御用入力手段
８  制御用表示手段
９  制御用データ保存手段
１０  制御用演算手段
１１  電力消費機器制御手段
１２  エネルギー演算手段
２０  変更プログラム保存手段
２１  データ変換手段
２２  データ入力手段
３０  制御用データ転送手段
４０  中継用データ転送手段
【図１】
2005182356.tif 000003
【図２】
2005182356.tif 000004
【図３】
2005182356.tif 000005
【図４】
2005182356.tif 000006
【図５】
2005182356.tif 000007